(57)【要約】【課題】  固着具の頭が露出することなく、壁パネルの下端にコーナー装飾部材の下端を一致させて取り付ける施工が行なえるようにする。【解決手段】  壁の出隅コーナー部を挟んで配置される、コーナー装飾部材２を取り付けるための取付金具Ａに関する。取付金具Ａを壁パネル１に固定する固着具３を通すための固定用穴を設けた本体板５。本体板５の下端縁に上方へ折り返し屈曲して形成され、コーナー装飾部材２の上端の嵌合凸部が嵌合してコーナー装飾部材２を上下に接続するためにコーナー装飾部材２の下端に設けられた嵌合凹部７に差し込み係合させることによって、コーナー装飾部材２の下端部を支持する係合支持片８。本体板５の下端に下方へ突出して設けられ、係合支持片８を嵌合凹部７に差し込み係合した際に下端がコーナー装飾部材２の下端と一致するように下方への突出寸法が設定された位置決め片９。これらを具備して取付金具Ａを形成する。【選択図】  図１
2007002576.tif 000002
【特許請求の範囲】
【請求項１】
壁の出隅コーナー部において、コーナーを挟んで一方の壁面を形成する壁パネルのコーナー側の端部から他方の壁面を形成する壁パネルのコーナー側の端部にかけて外面を覆うように配置される、水平断面Ｌ字型のコーナー装飾部材を取り付けるための取付金具であって、取付金具を壁パネルの外面に固定する固着具を通すための固定用穴を設けた本体板と、本体板の下端縁の外面において上方へ折り返し屈曲して形成され、コーナー装飾部材の上端に設けられた嵌合凸部が嵌合してコーナー装飾部材を上下に接続するためにコーナー装飾部材の下端に設けられた嵌合凹部に差し込み係合させることによって、コーナー装飾部材の下端部を支持する係合支持片と、本体板の下端に下方へ突出して設けられ、係合支持片を嵌合凹部に差し込み係合した際に下端がコーナー装飾部材の下端と一致するように下方への突出寸法が設定された位置決め片とを具備して成ることを特徴とする壁のコーナー装飾部材用取付金具。
【請求項２】
係合支持片の幅方向の両端部に上端で開放される切欠部を設けて、係合支持片を中央片と両側の端部片とに分割し、各端部片の背面側に凸部を突設して成ることを特徴とする請求項１に記載の壁のコーナー装飾部材用取付金具。
【請求項３】
壁の出隅コーナー部において、コーナーを挟んで一方の壁面を形成する壁パネルのコーナー側の端部から他方の壁面を形成する壁パネルのコーナー側の端部にかけて外面を覆うように水平断面Ｌ字型のコーナー装飾部材を配置して取り付けるにあたって、取付金具を固定用穴を設けた本体板と、本体板の下端縁の外面において上方へ折り返し屈曲して設けられた係合支持片と、本体板の下端に下方へ突出して設けられ、係合支持片をコーナー装飾部材の下端に設けた嵌合凹部に差し込み係合した際に下端がコーナー装飾部材の下端と一致するように下方への突出寸法が設定された位置決め片とを備えて形成し、位置決め片の下端が壁パネルの下端と一致する位置で取付金具を壁パネルの外面に配置すると共に固定用穴に固着具を通して取付金具を壁パネルの外面に固定し、コーナー装飾部材の下端の嵌合凹部に取付金具の係合支持片を差し込み係合してコーナー装飾部材の下端部を取付金具で支持し、コーナー装飾部材の上端部を固着具で壁パネルの外面に固定し、このコーナー装飾部材の上端に突設した嵌合凸部に他のコーナー装飾部材の下端の嵌合凹部を嵌合して上下のコーナー装飾部材を接続すると共に、上のコーナー装飾部材の下端の下覆い片で下のコーナー装飾部材の上端部の固着具を覆って成ることを特徴とするコーナー装飾部材の取付構造。
【発明の詳細な説明】
【技術分野】
【０００１】
本発明は、家屋の外壁の出隅コーナー部に施工して、外壁を化粧するために用いられるコーナー化粧部材において、このコーナー化粧部材を取り付けるために用いられる取付金具及び、コーナー化粧部材の取付構造に関するものである。
【背景技術】
【０００２】
窯業系外装材などの壁パネル１を張って取り付けることによって家屋の外壁を形成するにあたって、図７に示すように、外壁の出隅コーナー部において、コーナーを挟む一方の壁面を形成する壁パネル１のコーナー側の端部から他方の壁面を形成する壁パネル１のコーナー側の端部にかけて、各外面を覆うように断面Ｌ字型のコーナー装飾部材２を取り付け、外壁の出隅コーナー部を化粧することが行なわれている（例えば、特許文献１等参照）。
【特許文献１】特開平１１−３１１０１０号公報
【発明の開示】
【発明が解決しようとする課題】
【０００３】
そして上記のようにコーナー装飾部材２を外壁の出隅コーナー部において、壁パネル１の外面に取り付けるにあたっては、ビスなどの固着具１４をコーナー装飾部材２から壁パネル１を通して柱や縦胴縁などの壁下構造材２７に打ち込むことによって、行なわれている。
【０００４】
しかし、このようにビスなどの固着具１４を用いてコーナー装飾部材２の取り付けを行なうと、ビス頭など固着具１４の頭が露出してコーナー装飾部材２の外観を損なうおそれがあるという問題があった。
【０００５】
また、壁パネル１とコーナー装飾部材２との収まりのために、壁面の壁パネル１の下端にコーナー装飾部材２の下端が一致するように、コーナー装飾部材２を取り付ける必要がある。このためには、コーナー装飾部材２の下端を壁パネル１の下端と一致させるようにコーナー装飾部材２の高さを調整しながら、重量物であるコーナー装飾部材２を保持した状態で、ビスなどの固着具１４を打ち込まなければならず、コーナー装飾部材２を取り付ける施工が困難になるという問題もあった。
【０００６】
本発明は上記の点に鑑みてなされたものであり、ビス等の固着具の頭が露出することなくコーナー装飾部材の取り付けを行なうことができ、しかも壁パネルの下端にコーナー装飾部材の下端を一致させて取り付ける施工を容易に行なうことができる壁のコーナー装飾部材用取付金具及びコーナー装飾部材の取付構造を提供することを目的とするものである。
【課題を解決するための手段】
【０００７】
本発明の請求項１に係る壁のコーナー装飾部材用取付金具は、壁の出隅コーナー部において、コーナーを挟んで一方の壁面を形成する壁パネル１のコーナー側の端部から他方の壁面を形成する壁パネル１のコーナー側の端部にかけて外面を覆うように配置される、水平断面Ｌ字型のコーナー装飾部材２を取り付けるための取付金具Ａであって、取付金具Ａを壁パネル１の外面に固定する固着具３を通すための固定用穴４を設けた本体板５と、本体板５の下端縁の外面において上方へ折り返し屈曲して形成され、コーナー装飾部材２の上端に設けられた嵌合凸部６が嵌合してコーナー装飾部材２を上下に接続するためにコーナー装飾部材２の下端に設けられた嵌合凹部７に差し込み係合させることによって、コーナー装飾部材２の下端部を支持する係合支持片８と、本体板５の下端に下方へ突出して設けられ、係合支持片８を嵌合凹部７に差し込み係合した際に下端がコーナー装飾部材２の下端と一致するように下方への突出寸法が設定された位置決め片９とを具備して成ることを特徴とするものである。
【０００８】
また請求項２の発明は、請求項１において、係合支持片８の幅方向の両端部に上端で開放される切欠部１０を設けて、係合支持片８を中央片１１と両側の端部片１２とに分割し、各端部片１２の背面側に凸部１３を突設して成ることを特徴とするものである。
【０００９】
また本発明の請求項３に係る壁のコーナー装飾部材の取付構造は、壁の出隅コーナー部において、コーナーを挟んで一方の壁面を形成する壁パネル１のコーナー側の端部から他方の壁面を形成する壁パネル１のコーナー側の端部にかけて外面を覆うように水平断面Ｌ字型のコーナー装飾部材２を配置して取り付けるにあたって、取付金具Ａを固定用穴４を設けた本体板５と、本体板５の下端縁の外面において上方へ折り返し屈曲して設けられた係合支持片８と、本体板５の下端に下方へ突出して設けられ、係合支持片８をコーナー装飾部材２の下端に設けた嵌合凹部７に差し込み係合した際に下端がコーナー装飾部材２の下端と一致するように下方への突出寸法が設定された位置決め片９とを備えて形成し、位置決め片９の下端が壁パネル１の下端と一致する位置で取付金具Ａを壁パネル１の外面に配置すると共に固定用穴４に固着具３を通して取付金具Ａを壁パネル１の外面に固定し、コーナー装飾部材２の下端の嵌合凹部７に取付金具Ａの係合支持片８を差し込み係合してコーナー装飾部材２の下端部を取付金具Ａで支持し、コーナー装飾部材２の上端部を固着具１４で壁パネル１の外面に固定し、このコーナー装飾部材２の上端に突設した嵌合凸部６に他のコーナー装飾部材２の下端の嵌合凹部７を嵌合して上下のコーナー装飾部材２を接続すると共に、上のコーナー装飾部材２の下端の下覆い片１５で下のコーナー装飾部材２の上端部の固着具１４を覆って成ることを特徴とするものである。
【発明の効果】
【００１０】
本発明によれば、壁パネル１の外面に取付金具Ａを固定して、取付金具Ａの係合支持片８をコーナー装飾部材２の下端の嵌合凹部７に差し込み係合することによって、上端の嵌合凸部６と嵌合してコーナー装飾部材２を上下に接続するための嵌合凹部７を利用して、コーナー装飾部材２の取り付けを行なうことができるものであり、取付金具Ａはコーナー装飾部材２の背面に位置するものであって、ビス頭など固着具３の頭が露出することなくコーナー装飾部材２の取り付けを行なうことができるものである。また、取付金具Ａの位置決め片９の下方への突出寸法を、係合支持片８をコーナー装飾部材２の嵌合凹部７に差し込み係合した際に下端がコーナー装飾部材２の下端と一致するように形成してあるので、位置決め片９の下端が壁パネル１の下端と一致する高さ位置において壁パネル１の外面に取付金具Ａを取り付けることによって、コーナー装飾部材２の下端が壁パネル１の下端と一致する高さ位置に取付金具Ａでコーナー装飾部材２を支持することができるものであり、壁パネル１の下端にコーナー装飾部材２の下端を一致させて取り付ける施工を容易に行なうことができるものである。
【発明を実施するための最良の形態】
【００１１】
以下、本発明を実施するための最良の形態を説明する。
【００１２】
図３はコーナー装飾部材２の一例を示すものであり、図３（ｂ）のように肉厚がほぼ一定になるように屈曲させた形態になるように成形することによって、図３（ａ）（ｃ）のように外面がレンガを多段に積み重ねた凹凸形状を呈するように形成してある。コーナー装飾部材２は図３（ｄ）（ｅ）のように水平断面形状をＬ字型に形成してあって、その上端面において一方の片２ａから他方の片２ｂに至るようにＬ字型の上固定片２０が一体に上方へ突設してあり、その下端には一方の片２ａから他方の片２ｂに至るようにＬ字型の下覆い片１５が設けてある。上固定片２０の外面には複数箇所において固着具１４を打ち込むための下穴２１が凹設してある。また上固定片２０の上端面には上方へ突出する嵌合凸部６が一体に突設してあり、嵌合凸部６の背面側に係合凹段部２６が形成されるようにしてある。嵌合凸部６及び係合凹段部２６は一方の片２ａから他方の片２ｂに至るようにＬ字型に形成されるものである。また下覆い片１５の裏側においてコーナー装飾部材２の下端に係合突部２２が下方へ突設してあり、この係合突部２２によって下方へ開口する嵌合凹部７が形成されるようにしてある。係合突部２２及び嵌合凹部７はそれぞれ一方の片２ａから他方の片２ｂに至るようにＬ字型に形成してある。
【００１３】
このコーナー装飾部材２は、例えば、無機粉粒体と、熱可塑性樹脂と、エラストマーとを配合した成形材料を加熱溶融して成形することによって、作製することができる。この無機粉粒体としては、無機質材料を粉砕したものを用いることができるが、繊維セメント板などの窯業系無機質建材の廃材を粉砕したものを使用するのが好ましい。また熱可塑性樹脂としては、ポリエチレンやポリプロピレンなどを用いることができるが、熱可塑性樹脂の成形品からなるプラスチック製品の廃材を使用するのが好ましい。またエラストマーとしては、オレフィン系エラストマーやスチレン系エラストマーなどを用いることができるが、自動車のバンパーのようにエラストマーを含有するプラスチック製品の廃材を使用するのが好ましい。特に、自動車のバンパーは熱可塑性樹脂とエラストマーの両方を含有するので、熱可塑性樹脂とエラストマーの２成分を同時に充足することができる。
【００１４】
図４は取付金具Ａを示すものであり、金属板を折曲して一対の本体板５から図４（ｂ）のように水平断面Ｌ字型に形成してある。各本体板５の上部には固定用穴４が複数箇所に穿設してあり、また図４（ａ）のように各本体板５の下端縁には係合支持片８が前面側において上方へ折り返して屈曲することによって形成してある。係合支持片８は図４（ｃ）（ｄ）のように横片部２３と縦片部２４とからＬ字型に屈曲して形成されているものであり、縦片部２４と本体板５の間にコーナー装飾部材２の係合突部２２の厚みとほぼ同じ開口幅寸法の係合凹部２５が形成されるようにしてある。縦片部２４の上端部には上方へ向けて斜め外方に傾斜するガイド部２４ａが形成してある。また係合支持片８の縦片部２４には幅方向の両側端部寄り位置にそれぞれ上端で開放される切欠部１０が設けてあり、縦片部２４にこのように一対の切欠部１０を設けることによって、係合支持片８の縦片部２４を幅方向で分割し、中央部に幅広の中央片１１が、両側に幅狭の端部片１２がそれぞれ形成されるようにしてある。この各端部片１２の裏面には図４（ｃ）のように凸部１３が突設してある。
【００１５】
この係合支持片８は側端からＬ型屈折中央部に近傍に至る範囲で形成されるものであり、各本体板５の下端部に係合支持片８を折り返し屈曲することによって、取付金具Ａの中央部において各本体板５の下端に下方へ突出する形態で位置決め片９が形成されるものである。この位置決め片９の本体板５の下端から下方への突出寸法Ｌ１は、コーナー装飾部材２の係合突部２２の下端とコーナー装飾部材２の下端（下覆い片１５の下端）との高さ方向での差の寸法Ｌ２とほぼ等しくなるように設定してある。
【００１６】
家屋の外壁は窯業系外装材などの壁パネル１を張って取り付けることによって形成されているものであり、外壁パネル１は例えば図１のように、基礎２８の上の土台２９などに固定される柱や縦胴縁等の壁下構造材３０の屋外側に取り付けてある。また外壁の出隅コーナー部では、コーナーを挟むように一対の壁パネル１，１を図１（ｂ）のようにＬ型に配置して取り付けてある。図１（ａ）において３１は水切り材である。
【００１７】
そしてこの出隅コーナー部にコーナー装飾部材２を取り付けるにあたっては、コーナーを挟んだ一方の壁パネル１のコーナー側の端部から他方の壁パネル１のコーナー側の端部にかけて、壁パネル１の下端部の外面に図１（ｂ）のように取付金具Ａを配置し、各本体板５の固定用穴４を通してビス等の固着具３を壁パネル１及び壁下構造材２７に打ち込むことによって、壁パネル１の外面に取付金具Ａを固定する。このとき図１（ａ）に示すように、取付金具Ａの位置決め片９の下端を壁パネル１の下端に一致させて取り付け高さを位置決めし、この高さ位置に取付金具Ａの固定を行なうものである。
【００１８】
次に、コーナー装飾部材２をコーナーを挟んだ一方の壁パネル１のコーナー側の端部から他方の壁パネル１のコーナー側の端部にかけてコーナー装飾部材２を配置し、図１（ａ）及び図５（ａ）のように取付金具Ａの係合支持片８の縦片部２４をコーナー装飾部材２の嵌合凹部７に差し込み係合すると共に、コーナー装飾部材２の係合突部２２を取付金具Ａの係合凹部２５に係合して、係合突部２２の下端を横片部２３上に載置させることによって、コーナー装飾部材２の下端部を取付金具Ａで支持して取り付ける。このとき、取付金具Ａの本体板５はコーナー装飾部材２の下端部の背面側に隠れるので、本体板５の固定用穴４を通して打ち付けたビス等の固着具３はコーナー装飾部材２で覆われるものであり、固着具３の頭が表面に露出するようなことなく、コーナー装飾部材２の下端部の取り付けを行なうことができるものである。
【００１９】
ここで、取付金具Ａの係合支持片８の縦片部２４をコーナー装飾部材２の嵌合凹部７に差し込み係合すると共に係合突部２２を係合凹部２５に係合するにあたって、縦片部２４の上端部に設けたガイド片２４ａによってこの係合をスムーズに行なうことができるものである。また係合支持片８の縦片部２４には上記のように切欠部１０を設けて両側に端部片１２が形成してあり、端部片１２は幅狭であるためにバネ性を有している。そしてこの端部片１２には凸部１３が突設してあるので、端部片１２のバネ性によって凸部１３がコーナー装飾部材２の嵌合凹部７の内面に図５（ａ）のように弾接して、係合突部２２を係合凹部２５内に保持することができるものであり、ガタツキが生じることなく取付金具Ａでコーナー装飾部材２の下端部を保持することができるものである。
【００２０】
またこのように、係合支持片８を嵌合凹部７に差し込み係合してコーナー装飾部材２の下端部を取付金具Ａに支持すると、上記のように取付金具Ａの位置決め片９の突出寸法Ｌ１は、コーナー装飾部材２の係合突部２２の下端とコーナー装飾部材２の下端の間の寸法Ｌ２とほぼ等しくなるように設定してあるので、コーナー装飾部材２の下端の高さは位置決め片９の下端と一致することになる。そして上記のように取付金具Ａは位置決め片９の下端が壁パネル１の下端と一致するように取り付けてあるので、コーナー装飾部材２の下端は壁パネル１の下端と一致することになる。従って、コーナー装飾部材２の下端を壁パネル１の下端と一致させるようにコーナー装飾部材２の高さを調整しながら、重量物であるコーナー装飾部材２を保持して取り付けを行なうような必要がなくなり、壁パネル１の下端にコーナー装飾部材２の下端を一致させて取り付ける施工を容易に行なうことができるものである。
【００２１】
このようにコーナー装飾部材２の下端部を取付金具Ａで壁パネル１の外面に取り付けた後、図５（ｂ）のようにコーナー装飾部材２の上端部の上固定片２０に設けた下穴２１からビス等の固着具１４を通し、壁パネル１から壁下構造材３０に打ち込むことによって、コーナー装飾部材２の上端部を固定することができ、図２のように外壁の出隅コーナ部にコーナー装飾部材２を取り付けることができるものである。
【００２２】
上記のようにして、外壁の出隅コーナー部において最も下段に位置するコーナー装飾部材２の取り付けを行なった後、このコーナー装飾部材２の上側において外壁の出隅コーナー部に他のコーナー装飾部材２を配置する。そしてこの上側に配置したコーナー装飾部材２の下端部の嵌合凹部７を下側のコーナー装飾部材２の上端部の嵌合凸部６に図６のように嵌合させることによって、上側のコーナー装飾部材２の下端部を固定すると共に、上下のコーナー装飾部材２の接続を行なう。このとき、上側のコーナー装飾部材２の下端部の下覆い片１５が、下側のコーナー装飾部材２の上固定片２０の外面に重ねられ、下側のコーナー装飾部材２の上固定片２０に打入した固着具１４が上側のコーナー装飾部材２の下覆い片１５で覆われ、固着具１４の頭が露出することを防止するようになっており、固着具１４によって外観が損なわれることを防ぐようにしてある。またこの上側のコーナー装飾部材２の上端部の固定は、上記と同様に、上固定片２０に設けた下穴２１からビス等の固着具１４を通して壁パネル１から壁下構造材３０に打ち込むことによって行なうことができる。
【図面の簡単な説明】
【００２３】
【図１】本発明の実施の形態を示すものであり、（ａ）はコーナー装飾部材の下端部の取付構造を示す縦断面図、（ｂ）は取付金具の取付状態の横断面図である。
【図２】同上のコーナー装飾部材の取付状態を示す斜視図である。
【図３】同上のコーナー装飾部材を示すものであり、（ａ）は正面図、（ｂ）は（ｄ）のイーイ線断面図、（ｃ）は右側面図、（ｄ）は平面図、（ｅ）は底面図である。
【図４】同上の取付金具を示すものであり、（ａ）は正面図、（ｂ）は底面図、（ｃ）は（ａ）のロ−ロ線断面図、（ｄ）は（ａ）のハ−ハ線断面図である。
【図５】（ａ）はコーナー装飾部材の下端部の取付構造を示す縦断面図、（ｂ）はコーナー装飾部材の上端部の取付構造を示す縦断面図である。
【図６】上下のコーナー装飾部材の接続構造を示す縦断面図である。
【図７】従来例の斜視図である。
【符号の説明】
【００２４】
１  壁パネル
２  コーナー装飾部材
３  固着具
４  固定用穴
５  本体板
６  嵌合凸部
７  嵌合凹部
８  係合支持片
９  位置決め片
１０  切欠部
１１  中央片
１２  端部片
１３  凸部
１４  固着具
１５  下覆い片
Ａ  取付金具
【図１】
2007002576.tif 000003
【図２】
2007002576.tif 000004
【図３】
2007002576.tif 000005
【図４】
2007002576.tif 000006
【図５】
2007002576.tif 000007
【図６】
2007002576.tif 000008
【図７】
2007002576.tif 000009